(57)【要約】この発明は、それぞれが蠕動ポンプを介して注入液体を入れたフラスコを歯科器具に接続する２本のフレキシブルな供給チューブ（４ａ，４ｂ）によって構成される液体注入ラインの切り替え装置を目的とするもので、この装置は、少なくとも一つの圧縮要素（３４ａ，３４ｂ）と制御手段（３２）を備え、この手段で前記圧縮手段を前記フレキシブル供給チューブ（４ａ，４ｂ）の各々に交互に作用させて、一方を搾り、閉鎖するようにすることができるものに関する。前記制御手段（３２）により、前記チューブの一方が搾られて、このフレキシブルチューブの液体通路が閉鎖されているとき、他方のチューブは、搾られておらず、液体がこの他方のチューブを流れるように構成されている。
2005518866.tif 000002
【特許請求の範囲】
【請求項１】
液体注入ラインの切り替え装置であって、それぞれが蠕動ポンプ（１２）を介して注入液体を入れたフラスコ（２ａ，２ｂ）を手持ち器具（１６）に接続する２本のフレキシブルな供給チューブ（４ａ，４ｂ）によって構成され、この装置は、少なくとも一つの圧縮要素（３４ａ，３４ｂ；４６ａ，４６ｂ；５６，５６ａ，５６ｂ）と制御手段（３２，４０，５０，５０ａ，５０ｂ）を備え、この手段で前記圧縮手段を前記フレキシブル供給チューブ（４ａ，４ｂ）の各々に交互に作用させて、一方を搾り、閉鎖するようにすることができるものであって、前記制御手段（３２，４０，５０，５０ａ，５０ｂ）により、前記チューブの一方が搾られて、このフレキシブルチューブの液体通路が閉鎖されているとき、他方のチューブは、搾られておらず、液体がこの他方のチューブを流れるように構成されているもの。
【請求項２】
２基の圧縮要素（３４ａ，３４ｂ；５６ａ，５６ｂ）と制御手段（３２，４０，５０，５０ａ，５０ｂ）を備え、前記手段で前記圧縮手段を前記フレキシブル供給チューブ（４ａ，４ｂ）のそれぞれに作用させて、一方を搾り、確実に閉鎖するようにし、前記制御手段（３２，４０，５０，５０ａ，５０ｂ）により、前記圧縮手段の一方が緩められると、このチューブに液体が流れるようになり、他方の圧縮要素が搾ると、他方のフレキシブルチューブの液体通路が閉鎖されるようになっていることを特徴とする請求項１による装置。
【請求項３】
歯科器具に配置されることを特徴とする請求項１又は請求項２の一つによる装置。
【請求項４】
前記制御手段は、ユーザーが作動できる摺動要素（３２）により構成され、この摺動要素は、それぞれの端部に二つのストッパ（３４ａ，３４ｂ）を備え、各ストッパが二つの位置、即ち、相対するストッパに対し前記フレキシブルチューブ（４ａ，４ｂ）を圧縮して、このチューブを搾って閉鎖させる位置と、前記チューブを相対するストッパ（２４ａ，２４ｂ）に押し付けず、これを閉鎖しない位置になるように構成されていることを特徴とする請求項２又は請求項３の一つによる装置。
【請求項５】
前記ストッパ（３４ａ，３４ｂ）の配置は、前記摺動部材（３２）が一方の位置から他方の位置へ動くとき、一方のストッパは、他方のストッパが液体の流れるようにする位置になる前に閉鎖位置に位置するようになっていることを特徴とする請求項４による装置。
【請求項６】
前記圧縮要素は、ローラー（３４ａ，３４ｂ）により構成されていることを特徴とする前記請求項の一つによる装置。
【請求項７】
前記摺動要素（３２）は、支持ピン（２８）に支持されて、このピンまわりを回転できるようになっており、二つの位置、即ち、少なくとも一つの圧縮要素（３４ａ．３４ｂ）がチューブ（４ａ，４ｂ）を搾る位置と、前記圧縮要素（３４ａ．３４ｂ）が前記２本のチューブ（４ａ，４ｂ）に係合していない位置を占めるようになっていることを特徴とする請求項４から請求項６の一つによる装置。
【請求項８】
前記制御手段は、回転要素（４０）により構成され、この回転要素は、二つのカム要素（４６ａ，４６ｂ）を備え、これら要素は、回転要素（４０）が回転すると、前記フレキシブルチューブ（４ａ，４ｂ）の一方に打ち当たりこれを搾って閉鎖するようになっており、各カム要素（４６ａ，４６ｂ）においては、前記カムの一方がフレキシブルチューブを圧縮して閉鎖するときは、他方のカムが他方のフレキシブルチューブに打ち当たらず、注入液体が循環できるようになっていることを特徴とする請求項２による装置。
【請求項９】
前記制御手段は、また同様に、少なくとも一つの電磁石（５０，５０ａ，５０ｂ）により構成され、少なくとも一つの圧縮要素を移動させて他方を釈放しながら前記フレキシブルチューブの一方を圧縮するように制御するようになっていることを特徴とする請求項１による装置。
【請求項１０】
請求項１から請求項９の一つによる切り替え装置と、膨張タイプであることを特徴とする蠕動ポンプとを使用して、二液を歯科器具に供給する装置。
【請求項１１】
請求項１から請求項９の一つによる切り替え装置と、ステッピングモータをであることを特徴とするモータにより駆動される蠕動ポンプ（１２）とを使用して歯科器具に供給する装置。
【発明の詳細な説明】
【技術分野】
【０００１】
この発明は、歯科器具に二液それぞれを確実に供給する装置に関するものである。
【０００２】
歯科治療の合間に歯医者がその器具に異なる液体を交互に供給できるようになっている有利であることは知られている。
【０００３】
従来技術の装置においては、“液体注入ライン”、即ち、貯蔵フラスコを歯科器具に蠕動ポンプを介して接続しているフレキシブルなチューブには、切り替えバルブが設けられていて、前記ポンプの入口を種々の注入液体を入れたフラスコそれぞれに順次接続するようになっている。
【０００４】
こられの装置においては、液体注入ラインアッセンブリーを使い捨てにすることは、切り替え手段を廃棄しない限り、コストの点を含め考えられないことである点が理解できる。
【０００５】
従来技術の装置には、フレキシブルチューブによって構成されている液体注入ラインの部分のみを使い捨てにし、パーツとしての制御装置と一緒に切り替え手段を残すようになっているものがある。これらの状態においては、液体注入ラインの廃棄部分の交換では、前記ライン全体の滅菌の問題を解決できない点を理解すべきである。
【０００６】
この発明は、歯科器具に二液それぞれを供給する液体注入ラインの切り替えを制御する装置を提供することを目的とするもので、この装置は、前記注入液体から隔離され、これによって、液体注入ラインのフレキシブルな部分のみを交換することで前記装置全体の滅菌の問題を解決することを目的としたものである。
【０００７】
かくて、この発明は、それぞれが蠕動ポンプを介して注入液体を入れたフラスコを歯科器具に接続する２本のフレキシブルな供給チューブによって構成される液体注入ラインの切り替え装置を目的とするもので、この装置は、少なくとも一つの圧縮要素と制御手段を備え、この手段で前記圧縮手段を前記フレキシブル供給チューブの各々に交互に作用させて、一方を搾り、閉鎖するようにすることができるものであって、前記制御手段により、前記チューブの一方が搾られて、このフレキシブルチューブの液体通路が閉鎖されているとき、他方のチューブは、搾られておらず、液体がこの他方のチューブを流れるようになっていることを特徴とするものである。
【０００８】
一つの実施の態様においては、この発明による装置は、２基の圧縮要素と制御手段を備え、前記手段で前記圧縮手段を前記フレキシブル供給チューブのそれぞれに作用させて、一方を搾り、確実に閉鎖するようにし、前記制御手段により、前記圧縮手段の一方が緩められると、このチューブに液体が流れるようになり、他方の圧縮要素が搾ると、他方のフレキシブルチューブの液体通路が閉鎖されるようになっている。
【０００９】
この発明の別の実施の態様においては、前記制御手段は、ユーザーが作動できる摺動要素により構成され、この摺動要素は、それぞれの端部に二つのストッパを備え、各ストッパが二つの位置、即ち、相対するストッパに対し前記フレキシブルチューブを圧縮して、このチューブを搾って閉鎖させる位置と、前記チューブを相対するストッパに押し付けず、これを閉鎖しない位置になるように構成されている。前記ストッパの配置は、前記摺動部材が一方の位置から他方の位置へ動くとき、一方のストッパは、他方のストッパが液体の流れるようにする位置になる前に閉鎖位置に位置するようになっている。
【００１０】
この発明によれば、前記摺動要素は、支持ピンに支持されて、このピンまわりを回転できるようになっており、二つの位置、即ち、少なくとも一つの圧縮要素がチューブを搾る位置と、前記圧縮要素が前記２本のチューブに係合していない位置を占めるようになっている。
【００１１】
この発明の変形した実施の態様においては、前記制御手段は、回転要素により構成され、この回転要素は、二つのカム要素を備え、これら要素は、回転要素が回転すると、前記フレキシブルチューブの一方に打ち当たりこれを搾って閉鎖するようになっており、各カム要素においては、前記カムの一方がフレキシブルチューブを圧縮して閉鎖するときは、他方のカムが他方のフレキシブルチューブに打ち当たらず、注入液体が循環できるようになっているものである。
【００１２】
前記制御手段は、また同様に、少なくとも一つの電磁石により構成され、少なくとも一つの圧縮要素を移動させて他方を釈放しながら前記フレキシブルチューブの一方を圧縮するように制御するようになっている。
【００１３】
この発明は、また、請求項１から請求項９の一つによる切り替え装置と、膨張タイプであることを特徴とする蠕動ポンプとを使用して、二液を歯科器具に供給する装置を目的とする。
【００１４】
この発明は、また、請求項１から請求項９の一つによる切り替え装置と、ステッピングモータであることを特徴とするモータにより駆動される蠕動ポンプが膨張タイプであることを特徴とする蠕動ポンプとを使用して、二液を歯科器具に供給する装置を目的とする。
【００１５】
この発明の種々の形態の実施の態様を添付の図面を参照しながら以下に限定しない例により記載する。
【００１６】
図１は、液体注入（液体潅水）アッセンブリーを略図的に示す。このアッセンブリーは、二液それぞれの注入（潅水）液体を入れた２個のフラスコ２ａ，２ｂにより構成され、これらフラスコは、２本のフレキシブルチューブ４ａ，４ｂによりＴ形状の分配器６の分岐枝部の端部それぞれに接続されている。分配器６の中央枝部は、フレキシブルチューブ８により蠕動ポンプ１２のチューブ要素１０の入口に接続され、その出口は、フレキシブルチューブ１４により歯科器具１６に接続されている。切り替え手段１８が設けられていて、これによりフラスコ２ａ又はフラスコ２ｂのいずれかに前記フレキシブルチューブ８が連通するようになっている。
【００１７】
図２から図７は、この発明による切り替え装置の第１の実施の態様を示す。
【００１８】
この装置は、必須的には、支持プレート２０により構成され、支持プレートは、案内２２を備え、これらは、分配器６の位置及び保持を確実にするもので、これによってフレキシブルチューブ４ａは、第１のフラスコ２ａに、フレキシブルチューブ４ｂが第２のフラスコ２ｂにそれぞれ接続されるようになっている。分配器６の中央枝部は、図１に示すように、蠕動ポンプ１２に入口に連通しているチューブ８に接続している。
【００１９】
位置決め案内２２の両側において、支持プレート２０は、ストッパ２４ａ，２４ｂを備え、これらストッパにフレキシブルチューブ４ａ，４ｂがそれぞれ打ち当たるようになっている。支持プレート２０は、また、それぞれ二つの横断方向ベアリング２６を備え、これらに金属ピン２８が装着されてスライドするようになっている。このピンがその端部それぞれにおいて二つのラッグ３０を保持し、カバー３２を保持するようになっている。ピン２８の長さ１は、二つのベアリング２６の間の距離よりも長く、これによって二つの支持ラッグ３０により支持されているカバー３２が二つのベアリング２６の軸ｘｘ’にそって横方向に動き、この動きの振幅ｅは、ピン２８の長さｌとベアリング２６の間の距離との間の長さの差に等しい。
【００２０】
軸ｘｘ’に沿う長さ方向の動きに加えて、カバー３２は、軸２８まわりを回転し、これによって、図６，図７にそれぞれ示すように、二つのそれぞれの位置、即ち、位置決め案内２２に分配器６を位置させる位置に相当する第１の引き上げられた位置（図６）と第２の下げられた位置又は作動位置（図７）の位置になるようになっている。
【００２１】
カバー３２には、その両端部にローラー３４ａ，３４ｂそれぞれが配置されていて、図２，３，４，７に示すように、カバー３２が作動位置（下げられた位置）にあるとき、ローラー３４ａ，３４ｂが前記それぞれのフレキシブルチューブ４ａ，４ｂをストッパ２４ａ，２４ｂに押し当て、これらを変形させて、全てを閉鎖し、チューブ４ａ，４ｂからチューブ８への注入液体の流れを遮断する。
【００２２】
カバー３２は、長さ方向の二つの末端位置、即ち、図２に示すローラー３４ｂがフレキシブルチューブ４ｂを圧縮し、ストッパ２４ｂに押しつけ、その結果、このチューブを閉鎖する。この位置にあっては、ローラー３４ａは、ストッパ２４ａに相対しておらず、この結果、フレキシブルチューブ４ａを閉鎖するように搾るようになっておらず、したがって、フラスコ２ａからの注入液体は、切り替え手段１８を介して蠕動ポンプ１２に接続のフレキシブルチューブ８に流れるようになっている。
【００２３】
図３に示すように、カバー３２が他方の末端位置に動かされると、フレキシブルチューブ４ａがローラー３４ａにより搾られ、閉鎖され、フレキシブルチューブ４ｂがローラー３４ａを搾らず、したがって閉鎖せず、その結果、フラスコ２ｂの注入液体が蠕動ポンプ１２に接続のフレキシブルチューブに流れる。
【００２４】
このような装置は、注入液体の二液を混合し、チューブ８へ供給したい場合に特に関心がもたれるものである。
【００２５】
しかしながら、この発明の一つの実施の態様においては、当然ながら、施術者に関心があれば、ストッパ２４ａとストッパ２４ｂとを互いに離れるように動かし、このような状態にすれば、蠕動ポンプ１２に連通しているチューブ８に注入液体２ａ，２ｂの混合液体を供給できることになり、この混合割合は、カバー３２の長さ方向位置によりきまる。
【００２６】
この装置は、切り替え手段が注入ラインとは完全に別になっている点で特に興味がもたれるもので、これによって、前記注入ラインは、低コストで使い捨てできるものとなり、このことは無菌問題を解決できる利点をもつ。
【００２７】
この発明による他の利点は、図２，３に示すように、前記カバーを動かし、注入液体を供給したいチューブに対する切り替え操作がコントロールできる点で、このことは施術者にとり使用しやすいものとなる。
【００２８】
前記切り替え手段は、当然のことながら、供給チューブの一方を圧縮、閉鎖する一方、他方のチューブを開放することが確実に行える他の手段により構成してもよい。
【００２９】
ロータリー制御手段を使用する装置としては、例えば、図８から図１０に示すようなものでもよい。
【００３０】
これらの図に示されたロータリー切り替え装置は、必須的には、支持プレート４４に固定の水平ピン４２まわりを回転するように枢支されているレバー４０により構成されている。この支持プレートは、二つの長さ方向にそった案内４５を備え、これら案内それぞれが２個のフラスコ２ａ，２ｂにそれぞれ接続の２本のフレキシブルチューブ４ａ，４ｂを受けている。レバー４０の下方部は、二つの実質的に平行なカム４６ａ，４６ｂに分かれていて、レバー４０の端部の一方が前記フレキシブルチューブ４ａ．４ｂの案内の上位にあると、前記カムの一方が前記フレキシブルチューブの一方を押しつぶす一方、他方のカムは、前記フレキシブルチューブの他方を押しつぶさないようになっている。このように図は、カム４６ａがチューブ４ａを押しつぶさないようになっている（図９）一方、これと同じ位置においては、他方のカム４６ｂが他方のフレキシブルチューブ４ｂを押しつぶしていて（図１０）、これを閉鎖している動作位置にあるレバー４０を示している。かくして、これら特徴的な動作位置の各々にあっては、レバー４０は、前記フレキシブルチューブの一方を閉鎖すると共に他方のチューブを閉鎖しないことが理解される。
【００３１】
当然ながら、他の手段、特に電気的又は電磁的手段を使用して、フレキシブルチューブの一方を圧縮して、これを閉鎖し、同時に他方のチューブを緩めて、注入液体が内部を流れるようにすることもできる。
【００３２】
図１１に示すように、例えば、二つの電磁石５０ａ，５０ｂを使用し、一方の端子５１ａ，５１ｂを接地する一方、他方の端子５２ａ，５２ｂを給電端子に二つの接点に切り替わるスイッチ５４を介して接続する。各電磁石は、励磁されると、ピボットレバー５６ａ，５６ｂそれぞれをスプリング５８ａ，５８ｂの戻し力に抗しながら引きつけ、一方のフレキシブルチューブを圧縮して搾り、閉鎖する。このように、リバーススイッチ５４の位置によって、２本のフレキシブルチューブの一方又は他方が閉鎖されることになる。
【００３３】
図１１ａに示すように、一つの単独の電磁石も使用でき、給電をスイッチ５３により制御して、電力を供給したとき、戻しスプリング５８の付勢力に抗しながらレバー５６を引き付け、一方のチューブ４ａを搾り、電力が供給されていないときは、レバー５６が釈放され、スプリング５８の作用で他方のチューブ４ｂを押しつぶし、閉鎖するようになっている。
【００３４】
図１２に略図的に示すように、フレキシブルチューブ４ａ，４ｂの一方又は他方を回転要素６０によりハンドピース６２の円筒状本体に押しつけ、回転要素６０の内面に陥没部６４を設け、この陥没部の位置が前記２本のチューブの一方又は他方を受ける位置にあると、これを閉鎖しないものとなる構成になっている。このような仕掛けは、歯科器具に簡単に取り付けることができる点で関心をひくものである。
【００３５】
この発明の一つの実施の態様においては、蠕動ポンプ１２は、膨張タイプのものが好ましい。このタイピのポンプ類は、ステータをもたず、流路をもち、ここでロータに固定の複数のローラーの作用でフレキシブルチューブを搾ることができる点で特に有利である。このような実施の態様は、製造及び使用の二点から二重の利点を呈する。
【００３６】
前記蠕動ポンプは、ステッピングモータで駆動でき、十分な回転トルクを与えてチューブ要素１０を圧縮し、ポンプのブロッキング現象が生じても、隣接の機械的取り外し装置なしでモーターを外すことができる。このようなポンプの構成は、セキュリティーの点で特に有利であり、これによって、使用者は注入チューブの一部１０を位置決めするために前記システムに容易に近づくことができる。
さらに、他の切り替え手段も歯科器具に取り付けるために適用できる。
【図面の簡単な説明】
【００３７】
【図１】注入ラインを構成する異なる必須の要素を示す略図。
【図２】器具に注入液体を供給する２本のチューブの一方を確実に閉鎖する状態における、この発明による切り替え装置の第１の実施の態様の垂直及び長さ方向断面図。
【図３】切り替え装置が注入液体を供給する他方のチューブを確実に閉鎖している図２と同様の図。
【図４】切り替え装置が注入液体を供給する２本のチューブを確実に閉鎖している図２と同様の図。
【図５】図３に示す切り替え装置の一部平面図。
【図６】切り替え装置を示す略図側面図であり、一方は、所定位置にチューブをおいたものであり、他方は、作動中の態様のものである。
【図７】切り替え装置を示す略図側面図であり、一方は、所定位置にチューブをおいたものであり、他方は、作動中の態様のものである。
【図８】この発明による切り替え装置の垂直かつ横断方向の略図断面図。
【図９】図８に示した切り替え装置の長さ方向の断面図で、それぞれＩＸ−ＩＸ線及びＸ−Ｘ線の断面図。
【図１０】図８に示した切り替え装置の長さ方向の断面図で、それぞれＩＸ−ＩＸ線及びＸ−Ｘ線の断面図。
【図１１】この装置を制御するエレクトロメカニカル手段の変形の略図。
【図１１ａ】図１１の変形例。
【図１２】この発明による切り替え装置の別の変形の横断面図。
【符号の説明】
【００３８】
２ａ,  ２ｂ                     フラスコ
４ａ,  ４ｂ,  ８,  １４         フレキシブルチューブ
６                              分配器
８                              チューブ
１０                            チューブ要素
１２                            蠕動ポンプ
１６                            歯科器具
１８                            切り替え手段
２０,  ４４                     支持プレート
２２                            位置決め案内
２４ａ,  ２４ｂ                 ストッパ
２６                            ベアリング
２８                            ピン
３４ａ,  ３４ｂ                 ローラー
４０                            レバー
４６ａ,  ４６ｂ                 カム
５０ａ,  ５０ｂ                 電磁石
５６ａ,  ５６ｂ                 ピボットレバー
【図１】
2005518866.tif 000003
【図２】
2005518866.tif 000004
【図３】
2005518866.tif 000005
【図４】
2005518866.tif 000006
【図６】
2005518866.tif 000007
【図７】
2005518866.tif 000008
【図５】
2005518866.tif 000009
【図８】
2005518866.tif 000010
【図９】
2005518866.tif 000011
【図１０】
2005518866.tif 000012
【図１１】
2005518866.tif 000013
【図１１ａ】
2005518866.tif 000014
【図１２】
2005518866.tif 000015
【国際調査報告】
2005518866.tif 000016
2005518866.tif 000017
2005518866.tif 000018
2005518866.tif 000019
2005518866.tif 000020
2005518866.tif 000021